(57)【要約】【課題】電子機器に対する複数本の接続ケーブルの挿抜性を向上させたケーブルユニット及びアタッチメントを提供する。【解決手段】ケーブルユニット１０は、２本の接続ケーブル２０，３０と、アタッチメント４０とを含む。各嵌合孔４１，４２は、プラグボディ２２，３２の一対の外壁面２２ａ，２２ｂ，３２ａ，３２ｂに隙間Ｘ１１，Ｘ１２，Ｘ２１，Ｘ２２を介して対向する互いに平行な一対の内壁面４１ａ，４１ｂ，４２ａ，４２ｂを備える。各隙間Ｘ１１，Ｘ１２，Ｘ２１，Ｘ２２に、平行な一対の外面５０ａ，５０ｂを有する弾性体５０Ａ〜５０Ｄが配置される。各弾性体５０Ａ〜５０Ｄの一方の外面５０ａが、当該外面５０ａに対向する、プラグボディ２２，３２の外壁面２２ａ，２２ｂ，３２ａ，３２ｂに固着される。各弾性体５０Ａ〜５０Ｄの他方の外面５０ｂが、当該外面５０ｂに対向する、嵌合孔４１，４２の内壁面４１ａ，４１ｂ，４２ａ，４２ｂに固着される。【選択図】図６
2019050077.tif 000002
【特許請求の範囲】
【請求項１】
電子機器に接続可能な複数本の接続ケーブルと、前記複数本の接続ケーブルのプラグボディをケーブル長手方向が揃うように一体的に保持するアタッチメントとを含むケーブルユニットであって、
各プラグボディは、ケーブル長さ方向に平行でかつ互いに平行な一対の外壁面を有し、
前記アタッチメントは、複数本の接続ケーブルのプラグボディが個別にまたはまとめて嵌められる少なくとも１個の嵌合部を備え、
各嵌合部は、嵌められるプラグボディの前記一対の外壁面にそれぞれ隙間を介して対向する互いに平行な一対の内壁面を備え、
各隙間に、平行な一対の外面を有する弾性体が配置され、
各弾性体の一方の外面が、当該外面に対向する、前記プラグボディの外壁面に固着され、
各弾性体の他方の外面が、当該外面に対向する、前記嵌合部の内壁面に固着される、
ケーブルユニット。
【請求項２】
各弾性体は、テープ状の樹脂性弾性体の平行な一対の外面の各々に粘着剤が予め塗布された両面テープにおける前記樹脂性弾性体により構成される、
請求項１に記載のケーブルユニット。
【請求項３】
前記電子機器が、ウェアラブル電子機器である、
請求項１または２に記載のケーブルユニット。
【請求項４】
電子機器に接続可能な複数本の接続ケーブルの各プラグボディをケーブル長手方向が揃うように一体的に保持するアタッチメントであって、
各プラグボディは、ケーブル長さ方向に平行でかつ互いに平行な一対の外壁面を有し、
前記アタッチメントは、複数本の接続ケーブルのプラグボディが個別にまたはまとめて嵌められる少なくとも１個の嵌合部を備え、
各嵌合部は、嵌められるプラグボディの前記一対の外壁面にそれぞれ隙間を介して対向する互いに平行な一対の内壁面を備え、
各隙間に、平行な一対の外面を有する平板状の弾性体が配置され、
各弾性体の一方の外面が、当該外面に対向する、前記プラグボディの外壁面に固着され、
各弾性体の他方の外面が、当該外面に対向する、前記嵌合部の内壁面に固着される、
アタッチメント。
【発明の詳細な説明】
【技術分野】
【０００１】
本開示は、複数本の接続ケーブルと、前記複数本の接続ケーブルのプラグボディを一体的に保持するアタッチメントとを含むケーブルユニット、及び前記アタッチメントに関する。
【背景技術】
【０００２】
特許文献１は、複数本の接続ケーブルと、複数本の接続ケーブルのプラグボディを一体的に保持するアタッチメントとを含むケーブルユニットを開示している。
【先行技術文献】
【特許文献】
【０００３】
【特許文献１】特開２０１３−１１４８００号公報
【発明の概要】
【発明が解決しようとする課題】
【０００４】
電子機器側には、ケーブルユニットの各接続ケーブルのプラグが差し込まれるコネクタが、ケーブルユニットのプラグに位置対応させて配置される。しかし、各部材の寸法公差等により、プラグとコネクタの位置関係にずれが生じ、ケーブル挿抜時の抵抗が増大して、挿抜性が悪化したり、ケーブルに大きな負担が加わったり、さらには、ケーブル挿抜自体ができなくなるおそれがある。
【０００５】
本開示は、電子機器に対する複数本の接続ケーブルの挿抜性を向上させたケーブルユニット及びアタッチメントを提供する。
【課題を解決するための手段】
【０００６】
本開示の一態様において、電子機器に接続可能な複数本の接続ケーブルと、複数本の接続ケーブルのプラグボディをケーブル長手方向が揃うように一体的に保持するアタッチメントとを含むケーブルユニットが提供される。
各プラグボディは、ケーブル長さ方向に平行でかつ互いに平行な一対の外壁面を有する。
アタッチメントは、複数本の接続ケーブルのプラグボディが個別にまたはまとめて嵌められる少なくとも１個の嵌合部を備える。
各嵌合部は、嵌められるプラグボディの一対の外壁面にそれぞれ隙間を介して対向する互いに平行な一対の内壁面を備える。
各隙間に、平行な一対の外面を有する弾性体が配置される。
各弾性体の一方の外面が、当該外面に対向する、プラグボディの外壁面に固着される。
各弾性体の他方の外面が、当該外面に対向する、嵌合部の内壁面に固着される。
【０００７】
本開示の一態様において、電子機器に接続可能な複数本の接続ケーブルの各プラグボディをケーブル長手方向が揃うように一体的に保持するアタッチメントが提供される。
各プラグボディは、ケーブル長さ方向に平行でかつ互いに平行な一対の外壁面を有する。
アタッチメントは、複数本の接続ケーブルのプラグボディが個別にまたはまとめて嵌められる少なくとも１個の嵌合部を備える。
各嵌合部は、嵌められるプラグボディの一対の外壁面にそれぞれ隙間を介して対向する互いに平行な一対の内壁面を備える。
各隙間に、平行な一対の外面を有する弾性体が配置される。
各弾性体の一方の外面が、当該外面に対向する、プラグボディの外壁面に固着される。
各弾性体の他方の外面が、当該外面に対向する、嵌合部の内壁面に固着される。
【発明の効果】
【０００８】
本開示のケーブルユニット及びアタッチメントによると、電子機器に対する複数本の接続ケーブルの挿抜性を向上させることができる。
【図面の簡単な説明】
【０００９】
【図１】実施の形態１におけるケーブルユニットの斜視図である。
【図２】ケーブルユニット及び電子機器の斜視図であって、これらを接続していない状態で示した図である。
【図３】ケーブルユニット及び電子機器の斜視図であって、これらを接続した状態で示した図である。
【図４】ケーブルユニットの分解斜視図である。
【図５】弾性体の側面図である。
【図６】ケーブルユニットをプラグ側から見た正面図である。
【図７】ケーブルユニット及び電子機器の水平断面図であって、これらを接続した状態で模式的に示した図である。
【図８】ケーブルユニットにおける作用及び効果を説明した図である。
【図９】実施の形態２におけるケーブルユニットを模式的に示した図である。
【図１０】実施の形態３におけるケーブルユニットを模式的に示した図である。
【図１１】実施の形態４におけるケーブルユニット及び電子機器の水平断面図であって、これらを接続した状態で模式的に示した図である。
【図１２】他の実施の形態におけるケーブルユニットを模式的に示した図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するのであって、これらによって特許請求の範囲に記載の主題を限定することを意図するものではない。
【００１２】
（実施の形態１）
以下、図面を参照して実施の形態１を説明する。なお、以下の説明において、上、下、右、左、前、後等の方向を示す用語を用いるが、これらの用語は、実施の形態の理解を容易化するために用いられるものであり、そのように配置されるべきことを意味するものではない。
【００１３】
［１．構成］
図１は、実施の形態１におけるケーブルユニットの斜視図である。ケーブルユニット１０は、第１接続ケーブル２０及び第２接続ケーブル３０と、第１接続ケーブル２０及び第２接続ケーブル３０の各プラグボディ２２，３２をケーブル長手方向が揃うように一体的に保持するアタッチメント４０とを含む。
【００１４】
第１接続ケーブル２０は、プラグ２１と、プラグ２１を保持するプラグボディ２２と、ケーブル２３とを含む。プラグボディ２２は、プラグ２１内に配備された複数の端子（図示を省略している）とケーブル２３の芯線との接続部を樹脂モールドにより保護する。図１では、第１接続ケーブル２０がマイクロＵＳＢケーブルである場合を例示したが、これに限られない。
【００１５】
第２接続ケーブル３０は、プラグ３１と、プラグ３１を保持するプラグボディ３２と、ケーブル３３とを含む。プラグボディ３２は、プラグ３１内に配備された複数の端子（図示を省略している）とケーブル３３の芯線との接続部を樹脂モールドにより保護する。図１では、第２接続ケーブル３０がマイクロＨＤＭＩ（登録商標）ケーブルである場合を例示したが、これに限られない。
【００１６】
図２は、ケーブルユニット１０及び電子機器１００の斜視図であって、これらを接続していない状態で示した図である。電子機器１００は、利用者が装着して利用するウェアラブル電子機器であって、例えば携帯型のコンピュータである。なお、本開示における電子機器は、ウェアラブル電子機器に限定されず、ウェアラブルでない電子機器であってもよい。電子機器１００の一の側面部１００ａには、第１接続ケーブル２０のプラグ２１及びプラグボディ２２の先端側が差し込まれる第１差し込み口１１１と、第２接続ケーブル３０のプラグ３１及びプラグボディ３２の先端側が差し込まれる第２差し込み口１１２とが設けられている。また、第１差し込み口１１１及び第２差し込み口１１２を電子機器１００の幅方向に跨いで、ロックレバー１２０が設けられている。ロックレバー１２０は、左右の端部側において、電子機器１００の側面部１００ａにより回動可能に支持されている。なお、本開示における電子機器は、ロックレバーを有する電子機器に限定されず、ロックレバーを有していない電子機器であってもよい。
【００１７】
図３は、ケーブルユニット１０及び電子機器１００の斜視図であって、これらを接続した状態で示した図である。電子機器１００にケーブルユニット１０が接続された状態で、ロックレバー１２０を回動させて倒すことで、ロックレバー１２０の棒状の係止部１２０ａがアタッチメント４０の後端面４０ａに当接する。これにより、電子機器１００に接続されたケーブルユニット１０が抜けないようにロックされる。
【００１８】
図４は、ケーブルユニット１０の分解斜視図である。ケーブルユニット１０は、第１接続ケーブル２０、第２接続ケーブル３０、上ケース４０Ａ、下ケース４０Ｂ、第１上弾性体５０Ａ、第２上弾性体５０Ｂ、第１下弾性体５０Ｃ、第２下弾性体５０Ｄ、及びネジ（図示せず）を有する。上ケース４０Ａ、下ケース４０Ｂ、第１上弾性体５０Ａ、第２上弾性体５０Ｂ、第１下弾性体５０Ｃ、第２下弾性体５０Ｄ、及びネジは、アタッチメント４０を構成する。
【００１９】
上ケース４０Ａは樹脂製である。上ケース４０Ａの下面側には、第１接続ケーブル２０のプラグボディ２２の上部側が嵌められる第１上凹部４０Ａａと、第２接続ケーブル３０のプラグボディ３２の上部側が嵌められる第２上凹部４０Ａｂとが設けられている。なお、上ケース４０Ａの材料は樹脂に限定されない。上ケース４０Ａの材料は、アタッチメントとして求められる一般的な強度をもつこと、弾性体等の粘着物が取り付けられること、及びアタッチメントとしての形状加工が可能であることという条件を満たす限り、他の材料であっても良い。例えば、上ケース４０Ａの材料は、アルミ等の金属であってもよい。
【００２０】
下ケース４０Ｂは樹脂製である。下ケース４０Ｂの上面側には、第１接続ケーブル２０のプラグボディ２２の下部側が嵌められる第１下凹部４０Ｂａと、第２接続ケーブル３０のプラグボディ３２の下部側が嵌められる第２下凹部４０Ｂｂとが設けられている。なお、下ケース４０Ｂの材料は樹脂に限定されない。下ケース４０Ｂの材料は、アタッチメントとして求められる一般的な強度をもつこと、弾性体等の粘着物が取り付けられること、及びアタッチメントとしての形状加工が可能であることという条件を満たす限り、他の材料であっても良い。例えば、下ケース４０Ｂの材料は、アルミ等の金属であってもよい。
【００２１】
上ケース４０Ａ及び下ケース４０Ｂには、組み合わせられた上ケース４０Ａと下ケース４０Ｂを締結するネジが螺合されるネジ孔４０Ａｓ及び４０Ｂｓが設けられている。
【００２２】
第１上弾性体５０Ａ、第２上弾性体５０Ｂ、第１下弾性体５０Ｃ、第２下弾性体５０Ｄは、各々、一定以上の弾性を有する発泡体である。以下の説明において、第１上弾性体５０Ａ、第２上弾性体５０Ｂ、第１下弾性体５０Ｃ、第２下弾性体５０Ｄを単に「弾性体５０Ａ〜５０Ｄ」と示すことがある。
【００２３】
図５は、弾性体５０Ａ〜５０Ｄの側面図である。弾性体５０Ａ〜５０Ｄは、互いに平行な一対の外面５０ａ，５０ｂを有する平板状のポリオレフィン系発泡体により構成されている。ポリオレフィン系発泡体は、樹脂性弾性体の一例である。樹脂性弾性体は、一定以上の弾性を有している限り、ポリオレフィン系発泡体に限らずどのようなものでもよい。各外面５０ａ，５０ｂには粘着剤５１，５２が塗布されている。粘着剤５１，５２は、例えばアクリル系粘着剤である。なお、各弾性体５０Ａ〜５０Ｄは、テープ状（平板状）の樹脂性弾性体（発泡体）の平行な一対の外面の各々に粘着剤５１，５２が予め塗布された両面テープにおける樹脂性弾性体により構成されてもよい。
【００２４】
図６は、ケーブルユニット１０をプラグ２１，３１側から見た正面図である。なお、図５を参照して説明した粘着剤５１，５２は弾性体５０Ａ〜５０Ｄと比べ薄いため、図６では図示を省略している。アタッチメント４０は、上ケース４０Ａの第１上凹部４０Ａａと下ケース４０Ｂの第１下凹部４０Ｂａとからなる第１嵌合孔４１と、上ケース４０Ａの第２上凹部４０Ａｂと下ケース４０Ｂの第２下凹部４０Ｂｂとからなる第２嵌合孔４２とを有する。
【００２５】
第１接続ケーブル２０のプラグボディ２２、第２接続ケーブル３０のプラグボディ３２、第１嵌合孔４１、及び第２嵌合孔４２は、それぞれ、ケーブル差し込み方向から見て矩形状の形状を有する。
【００２６】
第１嵌合孔４１の高さ及び幅は、第１接続ケーブル２０のプラグボディ２２の高さ及び幅よりも若干量大きく設定されている。第１嵌合孔４１の上内壁面４１ａと第１接続ケーブル２０のプラグボディ２２の上外壁面２２ａとの間に生じる隙間Ｘ１１には、第１上弾性体５０Ａが配置される。第１上弾性体５０Ａの外面５０ｂの粘着剤（５２）が第１嵌合孔４１の上内壁面４１ａに固着し、第１上弾性体５０Ａの外面５０ａの粘着剤（５１）が第１接続ケーブル２０のプラグボディ２２の上外壁面２２ａに固着する。第１嵌合孔４１の下内壁面４１ｂと第１接続ケーブル２０のプラグボディ２２の下外壁面２２ｂとの間に生じる隙間Ｘ１２には、第１下弾性体５０Ｃが配置され、第１下弾性体５０Ｃの外面５０ａの粘着剤（５１）が第１接続ケーブル２０のプラグボディ２２の下外壁面２２ｂに固着する。第１下弾性体５０Ｃの外面５０ｂの粘着剤（５２）が第１嵌合孔４１の下内壁面４１ｂに固着する。隙間Ｘ１１，Ｘ１２の大きさは例えば０．５ｍｍである。第１上弾性体５０Ａ及び第１下弾性体５０Ｃの圧縮前の単体厚みは例えば０．８ｍｍであるが、図６に示す状態では、隙間Ｘ１１，Ｘ１２の大きさと同じ厚さに圧縮される。
【００２７】
第１嵌合孔４１の左内壁面４１ｃと第１接続ケーブル２０のプラグボディ２２の左外壁面２２ｃとの間、及び第１嵌合孔４１の右内壁面４１ｄと第１接続ケーブル２０のプラグボディ２２の右外壁面２２ｄとの間には、それぞれ隙間Ｘ１３，Ｘ１４が生じるが、弾性体は配置されない。隙間Ｘ１３，Ｘ１４の大きさは、第１接続ケーブル２０及びアタッチメント４０の寸法公差を考慮して設定される。具体的には、第１接続ケーブル２０及びアタッチメント４０の寸法に最大の誤差が生じた場合でも、第１嵌合孔４１内でプラグボディ２２が後述するように並進及び回転可能なように、例えば０．２〜０．３ｍｍ程度の大きさに設定される。なお、隙間Ｘ１３，Ｘ１４の大きさは、これ以上の大きさとしてももちろんよい。
【００２８】
第２嵌合孔４２の高さ及び幅は、第２接続ケーブル３０のプラグボディ３２の高さ及び幅よりも若干量大きく設定されている。第２嵌合孔４２の上内壁面４２ａと第２接続ケーブル３０のプラグボディ３２の上外壁面３２ａとの間に生じる隙間Ｘ２１には、第２上弾性体５０Ｂが配置される。第２上弾性体５０Ｂの外面５０ｂの粘着剤（５２）が第２嵌合孔４２の上内壁面４２ａに固着し、第２上弾性体５０Ｂの外面５０ａの粘着剤（５１）が第２接続ケーブル３０のプラグボディ３２の上外壁面３２ａに固着する。第２嵌合孔４２の下内壁面４２ｂと第２接続ケーブル３０のプラグボディ３２の下外壁面３２ｂとの間に生じる隙間Ｘ２２には、第２下弾性体５０Ｄが配置され、第２下弾性体５０Ｄの外面５０ａの粘着剤（５１）が第２接続ケーブル３０のプラグボディ３２の下外壁面３２ｂに固着する。第２下弾性体５０Ｄの外面５０ｂの粘着剤（５２）が第２嵌合孔４２の下内壁面４２ｂに固着する。隙間Ｘ２１，Ｘ２２の大きさは例えば０．５ｍｍである。第２上弾性体５０Ｂ及び第２下弾性体５０Ｄの圧縮前の単体厚みは例えば０．８ｍｍであるが、図６に示す状態では、隙間Ｘ２１，Ｘ２２の大きさと同じ厚さに圧縮される。
【００２９】
第２嵌合孔４２の左内壁面４２ｃと第２接続ケーブル３０のプラグボディ３２の左外壁面３２ｃとの間、及び第２嵌合孔４２の右内壁面４２ｄと第２接続ケーブル３０のプラグボディ３２の右外壁面３２ｄとの間には、それぞれ隙間Ｘ２４，Ｘ２３が生じるが、弾性体は配置されない。隙間Ｘ２３，Ｘ２４の大きさは、第２接続ケーブル３０及びアタッチメント４０の寸法公差を考慮して設定される。具体的には、第２接続ケーブル３０及びアタッチメント４０の寸法に最大の誤差が生じた場合でも、第２嵌合孔４２内でプラグボディ３２が後述するように並進及び回転可能なように、例えば０．２〜０．３ｍｍ程度の大きさに設定される。なお、隙間Ｘ２３，Ｘ２４の大きさは、これ以上の大きさとしてももちろんよい。
【００３０】
図７は、ケーブルユニット１０及び電子機器１００の水平断面図であって、これらを接続した状態で模式的に示した図である。第１接続ケーブル２０のプラグ２１は、第１差し込み口１１１に配置された第１コネクタ１１３に差し込まれる。第２接続ケーブル３０のプラグ３１は、第２差し込み口１１２に配置された第２コネクタ１１４に差し込まれる。
【００３１】
ここで、電子機器の複数のコネクタの配置間隔は、電子機器の構成部材の寸法公差等により、設計通りの間隔とならない場合がある。従来においても複数本の接続ケーブルを一体的に保持するアタッチメントは存在するが、従来のアタッチメントでは、複数本の接続ケーブルを強く拘束する構造を有しているため、コネクタの配置間隔が設計通りの間隔でない場合、ケーブル挿抜時の抵抗が増大して、挿抜性が悪化したり、ケーブルに大きな負担が加わったり、さらには、ケーブル挿抜自体ができなくなったりするおそれがあった。
【００３２】
本実施の形態では、図６等を参照して説明した構造により上記の問題を解決した。以下、本実施の形態のケーブルユニット１０における作用及び効果を説明する。
【００３３】
図８は、本実施の形態のケーブルユニット１０における作用及び効果を説明した図である。図８では、複数本の接続ケーブルのうち代表して第１接続ケーブル２０を示している。第２接続ケーブル３０については特に説明しないが第１接続ケーブル２０と同様の作用及び効果が得られる。
【００３４】
図８（ａ）は、ケーブルユニット１０を、電子機器１００に接続していない初期状態で示した図である。なお、アタッチメント４０の第１嵌合孔４１の左右の壁については省略して示している。上述したように、第１接続ケーブル２０のプラグボディ２２の上外壁面２２ａ及び下外壁面２２ｂは、アタッチメント４０の第１嵌合孔４１の上内壁面４１ａ及び下内壁面４１ｂに、第１上弾性体５０Ａ及び第１下弾性体５０Ｃを介して固着される。図８では、第１上弾性体５０Ａ及び第１下弾性体５０Ｃをバネで表示している。ケーブルユニット１０が電子機器１００に接続されていない状態では、第１接続ケーブル２０のプラグボディ２２は、第１嵌合孔４１内で、第１上弾性体５０Ａ及び第１下弾性体５０Ｃの弾性力が釣り合う中立位置に保持される。
【００３５】
図８（ｂ）は、ケーブルユニット１０を、電子機器１００に接続した状態で示した図である。図８（ｂ）では、電子機器１００の第１コネクタ１１３が公差の範囲内で傾いて位置ずれしている例を示している。ここで、第１接続ケーブル２０のプラグ２１が第１コネクタ１１３に差し込まれるためには、第１接続ケーブル２０のプラグボディ２２が、第１コネクタ１１３の内壁にガイドされながら第１コネクタ１１３内に嵌まる必要があるが、本実施の形態では、弾性変形可能な第１上弾性体５０Ａ及び第１下弾性体５０Ｃを介してプラグボディ２２が第１嵌合孔４１内に支持されている。そのため、プラグボディ２２の並進動作や回転動作が可能となる。また、第１コネクタ１１３の配置位置等に公差に伴う位置ずれがある場合でも、第１接続ケーブル２０のプラグ２１を第１コネクタ１１３に差し込むことができる。また、プラグボディ２２が並進動作や回転動作を行うことで、ケーブル挿抜時の抵抗の増大を緩和し、スムーズなケーブル挿抜が可能となる。また、ケーブル挿抜時に第１接続ケーブル２０や第１コネクタ１１３に大きな負担が加わったり、ケーブル挿抜自体ができなくなったりすることを抑制できる。
【００３６】
ケーブルユニット１０を電子機器１００から抜くと、第１上弾性体５０Ａ及び第１下弾性体５０Ｃは、自己の弾性により図８（ａ）の初期形状に復元するとともに、プラグボディ２２は、アタッチメント４０の第１嵌合孔４１に対して図８（ａ）の初期位置に戻る。
【００３７】
ここで、仮に第１上弾性体５０Ａ及び第１下弾性体５０Ｃの外面５０ａ，５０ｂに粘着剤が存在しないとした場合、ケーブル挿抜時に、第１上弾性体５０Ａ及び第１下弾性体５０Ｃが、アタッチメント４０の上内壁面４１ａ及び下内壁面４１ｂや、プラグボディ２２の上外壁面２２ａ及び下外壁面２２ｂに対して滑って位置ずれを起こす可能性がある。この場合、ケーブル引き抜き後に、弾性体５０Ａ，５０Ｃが初期形状に復元しても、プラグボディ２２がアタッチメント４０の第１嵌合孔４１内で初期位置に戻らなくなる可能性がある。プラグボディ２２が初期位置に復帰せず、大きな位置ずれが生じた場合、次に、ケーブルユニットを電子機器１００に接続することができなくなる可能性がある。しかし、本実施の形態のケーブルユニット１０では、第１上弾性体５０Ａ及び第１下弾性体５０Ｃの外面５０ａ、５０ｂに粘着剤が存在していることで、上記のような位置ずれが抑制される。
【００３８】
なお、電子機器がウェアラブルな電子機器である場合、コネクタと接続ケーブルのプラグとの接続部には、利用者の挙動に伴う不規則な力が繰り返し加わるが、接続ケーブルがアタッチメントにより一体的に保持されていない場合には、上記の不規則な力により接続ケーブルが傾いて徐々に抜ける可能性がある。しかし、本実施の形態では、２本の接続ケーブル２０，３０がアタッチメント４０により弾性体５０Ａ〜５０Ｄを介して一体的に保持、拘束されることで、上記のような不規則な力が加わった場合でも、弾性体５０Ａ〜５０Ｄの弾性により、接続ケーブル２０，３０のプラグ２１，３１がコネクタ１１３，１１４に密着し、傾き等による抜けが生じにくくなる。そのため、電子機器１００がウェアラブルな電子機器である場合における利用者の利便性が向上する。
【００３９】
［２．効果等］
本実施の形態のケーブルユニット１０は、
２本（複数本の一例）の接続ケーブル２０，３０と、２本の接続ケーブル２０，３０のプラグボディ２２，３２をケーブル長手方向が揃うように一体的に保持するアタッチメント４０とを含むケーブルユニット１０である。
各プラグボディ２２，３２は、ケーブル長さ方向に平行でかつ互いに平行な一対の外壁面２２ａ，２２ｂ，３２ａ，３２ｂを有する。
アタッチメント４０は、２本の接続ケーブル２０，３０のプラグボディ２２，３２が個別に嵌められる嵌合孔４１，４２（嵌合部の一例）を備え、
各嵌合孔４１，４２は、嵌められるプラグボディ２２，３２の一対の外壁面２２ａ，２２ｂ，３２ａ，３２ｂにそれぞれ隙間Ｘ１１，Ｘ１２，Ｘ２１，Ｘ２２を介して対向する互いに平行な一対の内壁面４１ａ，４１ｂ，４２ａ，４２ｂを備え、
各隙間Ｘ１１，Ｘ１２，Ｘ２１，Ｘ２２に、平行な一対の外面５０ａ，５０ｂを有する弾性体５０Ａ〜５０Ｄが配置され、
各弾性体５０Ａ〜５０Ｄの一方の外面５０ａが、当該外面５０ａに対向する、プラグボディ２２，３２の外壁面２２ａ，２２ｂ，３２ａ，３２ｂに固着され、
各弾性体５０Ａ〜５０Ｄの他方の外面５０ｂが、当該外面５０ｂに対向する、嵌合孔４１，４２の内壁面４１ａ，４１ｂ，４２ａ，４２ｂに固着される。
【００４０】
本実施の形態のケーブルユニット１０によると、電子機器１００に対する複数本の接続ケーブルの挿抜性を向上させることができる。
【００４１】
本実施の形態において、
各弾性体５０Ａ〜５０Ｄは、テープ状の樹脂性弾性体の平行な一対の外面の各々に粘着剤５１，５２が予め塗布された両面テープにおける樹脂性弾性体により構成される。
【００４２】
これにより、２本の接続ケーブル２０，３０のプラグボディ２２，３２を、嵌合孔４１，４２の内部に、簡単な構成で、弾性体５０Ａ〜５０Ｄを介して固着することができる。
【００４３】
本実施の形態のアタッチメント４０は、ケーブルユニット１０の一部としてではなく、例えばオプション品として単独で提供することも可能である。
【００４４】
（実施の形態２）
図９は、実施の形態２におけるケーブルユニット２１０を模式的に示した図である。本実施の形態のケーブルユニット２１０のアタッチメント２４０では、嵌合部として、１個の嵌合孔２４１を設け、第１接続ケーブル２０のプラグボディ２２と第２接続ケーブル３０のプラグボディ３２の両方を１個の嵌合孔２４１に挿通する構成としている。このように構成することで、実施の形態１のアタッチメント４０では設けられていた第１嵌合孔４１と第２嵌合孔４２との間の壁がなくなり、アタッチメント２４０の左右方向寸法を小さくできる。この構成は、アタッチメント２４０が曲げ剛性の高い素材で形成されているような場合に好適に用いることができる
【００４５】
（実施の形態３）
図１０は、実施の形態３におけるケーブルユニット３１０を模式的に示した図である。本実施の形態のケーブルユニット３１０のアタッチメント３４０では、嵌合部として、第１嵌合孔及び第２嵌合孔に代えて、第１接続ケーブル２０を嵌める第１嵌合凹部３４１と、第２接続ケーブル３０を嵌める第２嵌合凹部３４２を設けている。このように構成することで、実施の形態１のアタッチメント４０では設けられていた第１嵌合孔４１の左の壁と第２嵌合孔４２の右の壁がなくなり、アタッチメント３４０の左右方向寸法を小さくできる。この構成は、アタッチメント３４０が剛性の高い素材で形成されているような場合に好適に用いることができる。
【００４６】
（実施の形態４）
図１１は、実施の形態４におけるケーブルユニット４１０及び電子機器１００の水平断面図であって、これらを接続した状態で模式的に示した図である。実施の形態４におけるアタッチメント４４０は、実施の形態１の図７のアタッチメント４０と比較するとわかるように、アタッチメント４４０の前端面から前方に突出する第１ガイド壁４０Ｒ及び第２ガイド壁４０Ｓが設けられている。第１ガイド壁４０Ｒ及び第２ガイド壁４０Ｓは、第１接続ケーブル２０のプラグボディ２２及び第２接続ケーブル３０のプラグボディ３２の前部側を包囲する四角筒状の形状を有する。第１ガイド壁４０Ｒ及び第２ガイド壁４０Ｓの外形寸法は、電子機器１００の第１差し込み口１１１及び第２差し込み口１１２の内法寸法よりも若干量小さく設定され、ケーブルユニット４１０を電子機器１００に接続した際に、第１ガイド壁４０Ｒ及び第２ガイド壁４０Ｓが電子機器１００の第１差し込み口１１１及び第２差し込み口１１２に嵌まるように設けられている。また、このように嵌まった状態で、第１接続ケーブル２０のプラグ２１の位置と電子機器１００の第１コネクタ１１３の位置とがほぼ一致し、第２接続ケーブル３０のプラグ３１の位置と電子機器１００の第２コネクタ１１４の位置とがほぼ一致するようになっている。このような構成によると、ケーブルユニット４１０を電子機器１００に接続する際に、第１ガイド壁４０Ｒ及び第２ガイド壁４０Ｓの前端側が電子機器１００の第１差し込み口１１１及び第２差し込み口１１２に少しでも嵌まると、第１接続ケーブル２０のプラグ２１の位置と電子機器１００の第１コネクタ１１３の位置とがほぼ一致し、第２接続ケーブル３０のプラグ３１の位置と電子機器１００の第２コネクタ１１４の位置とがほぼ一致することとなる。そのため、これらのケーブル２０，３０をより深く差し込んでいったときに、プラグ２１，３１がコネクタ１１３，１１４に、よりスムーズに嵌まりやすくなる。ガイド壁４０Ｒ，４０Ｓがない場合、プラグ２１，３１をコネクタ１１３，１１４に差し込むには、目視で慎重にプラグ２１，３１の中心とコネクタ１１３，１１４の中心とを位置あわせしながら差し込む必要があるが、本実施の形態では、第１ガイド壁４０Ｒ及び第２ガイド壁４０Ｓを第１差し込み口１１１及び第２差し込み口１１２に差し込むことでプラグ２１，３１の中心とコネクタ１１３，１１４の中心との位置決めが予め適切に行われるため、利用者におけるケーブル接続の利便性が向上する。
【００４７】
（他の実施の形態）
以上のように、本出願において開示する技術の例示として、実施の形態１〜４を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００４８】
（Ａ）前記実施の形態では、２本の接続ケーブル２０，３０を一体的に保持するアタッチメント４０及びそれを有するケーブルユニット１０を例示した。しかし、本開示は、図１２（ａ）、（ｂ）に例示するように、３本の接続ケーブル２０，３０，６０を一体的に保持するアタッチメント５４０，６４０、及び、それを有するケーブルユニット５１０，６１０にも適用可能である。この場合に、嵌合孔４１，４２，４３の配置は、電子機器１００側の複数個のコネクタの配置に応じて適宜に設定すればよい。また、図示しないが、４本以上の接続ケーブルを一体的に保持するアタッチメント及びそれを有するケーブルユニットにも本開示を適用可能であることは言うまでもない。
【００４９】
（Ｂ）前記実施の形態では、弾性体５０Ａ〜５０Ｄは隙間Ｘ１１，Ｘ１２，Ｘ２１，Ｘ２２に配置されている。しかし、本開示において、弾性体５０Ａ〜５０Ｄは、隙間Ｘ１１，Ｘ１２，Ｘ２１，Ｘ２２でなく、隙間Ｘ１３，Ｘ１４，Ｘ２３，Ｘ２４に配置されてもよい。この構成は、上述した他の実施の形態の（Ａ）にも適用可能である。
【００５０】
（Ｃ）前記実施の形態では、弾性体がポリオレフィン系発泡体である例を示した。しかし、本開示において、弾性体は、ポリオレフィン系発泡体に限られない。例えば、弾性体は、防振等に用いられる弾性ジェルであってもよい。
【００５１】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００５２】
本開示は、電子機器に接続される種々の接続ケーブル等において広く利用可能である。
【符号の説明】
【００５３】
１０  ケーブルユニット
２０  第１接続ケーブル
２１  プラグ
２２  プラグボディ
２２ａ  上外壁面
２２ｂ  下外壁面
２２ｃ  左外壁面
２２ｄ  右外壁面
２３  ケーブル
３０  第２接続ケーブル
３１  プラグ
３２  プラグボディ
３２ａ  上外壁面
３２ｂ  下外壁面
３２ｃ  左外壁面
３２ｄ  右外壁面
３３  ケーブル
４０  アタッチメント
４０ａ  後端面
４０Ａ  上ケース
４０Ａａ  第１上凹部
４０Ａｂ  第２上凹部
４０Ｂ  下ケース
４０Ｂａ  第１下凹部
４０Ｂｂ  第２下凹部
４０Ｒ  第１ガイド壁
４０Ｓ  第２ガイド壁
４１  第１嵌合孔
４１ａ  上内壁面
４１ｂ  下内壁面
４１ｃ  左内壁面
４１ｄ  右内壁面
４２  第２嵌合孔
４２ａ  上内壁面
４２ｂ  下内壁面
４２ｃ  左内壁面
４２ｄ  右内壁面
５０Ａ〜５０Ｄ  弾性体
１００  電子機器
１００ａ  側面部
１１１  第１差し込み口
１１２  第２差し込み口
１１３  第１コネクタ
１１４  第２コネクタ
１２０  ロックレバー
１２０ａ  係止部
２１０  ケーブルユニット
２４０  アタッチメント
２４１  嵌合孔
３１０  ケーブルユニット
３４０  アタッチメント
３４１  第１嵌合凹部
３４２  第２嵌合凹部
４１０  ケーブルユニット
４４０  アタッチメント
５４０  アタッチメント
６４０  アタッチメント
Ｘ１１，Ｘ１２，Ｘ１３，Ｘ１４，Ｘ２１，Ｘ２２，Ｘ２３，Ｘ２４  隙間
【図１】
2019050077.tif 000003
【図２】
2019050077.tif 000004
【図３】
2019050077.tif 000005
【図４】
2019050077.tif 000006
【図５】
2019050077.tif 000007
【図６】
2019050077.tif 000008
【図７】
2019050077.tif 000009
【図８】
2019050077.tif 000010
【図９】
2019050077.tif 000011
【図１０】
2019050077.tif 000012
【図１１】
2019050077.tif 000013
【図１２】
2019050077.tif 000014